(57)【要約】【課題】洗濯物を室内干ししても室内の美観が損なわれ難い建物を提供する。【解決手段】略長方形の第１の部屋２と、第１の部屋２の一方の長辺側において、第１の部屋２に建具を介さずに連通し、物干し装置が設けられている室内物干し空間３と、を備えることを特徴とする。【選択図】図１
2017198030.tif 000002
【特許請求の範囲】
【請求項１】
略長方形の第１の部屋と、
前記第１の部屋の一方の長辺側において、前記第１の部屋に建具を介さずに連通し、物干し装置が設けられている室内物干し空間と、を備えることを特徴とする、建物。
【請求項２】
前記室内物干し空間は、略長方形であって、
前記室内物干し空間は、前記室内物干し空間の一方の短辺側において、前記第１の部屋の前記一方の長辺の端部において前記第１の部屋に連通している、請求項１に記載の建物。
【請求項３】
前記第１の部屋はリビングを含む空間であり、
前記第１の部屋の他方の長辺側にテレビ端子が設けられている、請求項１または２に記載の建物。
【請求項４】
前記室内物干し空間における一方の長辺側には、屋外出入口が設けられた外壁をはさんでベランダが隣接しており、
前記室内物干し空間の他方の長辺側には、室内出入口が設けられた間仕切壁をはさんで第２の部屋が隣接している、請求項２に記載の建物。
【請求項５】
前記第１の部屋は、前記外壁をはさんで前記ベランダに隣接しており、
該外壁には、前記第１の部屋から前記ベランダへの出入りが可能な他の屋外出入口が設けられている、請求項４に記載の建物。
【請求項６】
前記第２の部屋は、衣類を収納する収納空間を有する、請求項４または５に記載の建物。
【請求項７】
前記室内物干し空間に、作業台が設けられている、請求項１〜６の何れか一項に記載の建物。
【発明の詳細な説明】
【技術分野】
【０００１】
本発明は建物に関し、特には、洗濯物を室内で干すための室内物干し空間を備えた建物に関する。
【背景技術】
【０００２】
従来、住宅において洗濯物を干す際には、ベランダ等の屋外に設置された物干し竿が使用されている。また、雨や雪などの悪天候の場合や、住人が仕事等により長時間不在となる場合には、洗濯物を室内に干すことがある。特に、共働きの夫婦にあっては、日中は家に不在となることが多いため、室内干しをする頻度が高い傾向にある。
【０００３】
室内に洗濯ものを干すための手段として、特許文献１には、ベランダに面したリビング・ダイニングの窓枠のカーテンボックスの内側に、ハンガーレールを設けることにより、ハンガー等を吊り下げて部屋干しを可能とした構成が開示されている。
【先行技術文献】
【特許文献】
【０００４】
【特許文献１】実用新案登録第３１７５７８６号公報
【発明の概要】
【発明が解決しようとする課題】
【０００５】
しかしながら、特許文献１に記載の方法では、リビング・ダイニング等の室内空間から室内干しした洗濯物が常に見えるため、室内の美観が損なわれるという問題があった。また、賃貸用のアパートやマンションなどの集合住宅では、居住空間の広さが限られているため、リビング等の居室内に洗濯物を干すことでより空間が狭く感じられ易い。
【０００６】
それゆえ本発明は、洗濯物を室内干ししても室内の美観が損なわれ難い建物を提供することを目的とする。
【課題を解決するための手段】
【０００７】
本発明は、上記課題を解決するためになされたものであり、本発明の建物は、略長方形の第１の部屋と、
前記第１の部屋の一方の長辺側において、前記第１の部屋に建具を介さずに連通し、物干し装置が設けられている室内物干し空間と、を備えることを特徴とするものである。
【０００８】
また、本発明の建物にあっては、前記室内物干し空間は、略長方形であって、
前記室内物干し空間は、前記室内物干し空間の一方の短辺側において、前記第１の部屋の前記一方の長辺の端部において前記第１の部屋に連通していることが好ましい。
【０００９】
また、本発明の建物にあっては、前記第１の部屋はリビングを含む空間であり、
前記第１の部屋の他方の長辺側にテレビ端子が設けられていることが好ましい。なお、「リビングを含む空間」とは、例えば、リビング、リビング・ダイニング、又はリビング・ダイニング・キッチンなどを意味するものである。
【００１０】
また、本発明の建物にあっては、前記室内物干し空間における一方の長辺側には、屋外出入口が設けられた外壁をはさんでベランダが隣接しており、
前記室内物干し空間の他方の長辺側には、室内出入口が設けられた間仕切壁をはさんで第２の部屋が隣接していることが好ましい。
【００１１】
また、本発明の建物にあっては、前記第１の部屋は、前記外壁をはさんで前記ベランダに隣接しており、
該外壁には、前記第１の部屋から前記ベランダへの出入りが可能な他の屋外出入口が設けられていることが好ましい。
【００１２】
また、本発明の建物にあっては、前記第２の部屋は、衣類を収納する収納空間を有することが好ましい。
【００１３】
また、本発明の建物にあっては、前記室内物干し空間に、作業台が設けられていることが好ましい。
【発明の効果】
【００１４】
本発明によれば、洗濯物を室内干ししても室内の美観が損なわれ難い建物を提供することが可能となる。
【図面の簡単な説明】
【００１５】
【図１】本発明の一実施形態としての建物における平面図である。
【図２】（ａ）、（ｂ）は、図１の室内物干し空間に設けられる物干し装置を例示する図である。
【発明を実施するための形態】
【００１６】
以下、図面を参照しつつ、本発明に係る建物の実施形態について詳細に説明する。図１に示すように、建物１は、第１の部屋としてのリビング・ダイニング・キッチン２（ＬＤＫ）、室内物干し空間３、第２の部屋としての居室４、ベランダ５、玄関６、トイレ７、洗面室８、浴室９、及び他の居室１０等を備えている。
【００１７】
なお、本実施形態の建物１は、賃貸用の集合住宅における１つの住居としているが、本発明はこれに限られず、例えば戸建て住宅に適用することも可能である。また、建物１の間取りは、図１に示すような、いわゆる２ＬＤＫタイプに限られるものではなく、例えば１ＬＤＫや３ＬＤＫタイプなど、任意の間取りを採用することができる。
【００１８】
ＬＤＫ２は、例えば１４畳程度の広さを有する平面視で略長方形の空間であり、カウンター形式のキッチンセット２ａを備えたキッチンと、ダイニングテーブル２ｂが配置されたダイニングと、ソファ２ｃ等が配置されたリビングとが一体となったものである。なお、ＬＤＫ２は、必ずしも長方形である必要はなく、室内物干し空間３以外にも平面視で部分的に凹凸を形成する箇所があってもよい。また、ＬＤＫ２は、キッチン、ダイニング、及びリビングの少なくとも１つを、建具によって仕切ることが可能であってもよい。
【００１９】
室内物干し空間３は、ＬＤＫ２に建具を介さずに連通する、平面視で略矩形の空間である。本実施形態では、室内物干し空間３は、平面視でＬＤＫ２から突出するように設けられている。具体的に、室内物干し空間３は、図１に示すように平面視で長方形であり、短辺でＬＤＫ２に連通している。また、室内物干し空間３は、平面視で長方形であるＬＤＫ２の一方の長辺の端部において連通している。室内物干し空間３は、ＬＤＫ２に対して長辺同士が直交するように配置されて、Ｌ字もしくは逆向きのＬ字を構成するように配置されていることが好ましい。
【００２０】
また、室内物干し空間３の一方の長辺側には、屋外出入口１１ａ（掃出し窓）が設けられた外壁１１をはさんでベランダ５が隣接しており、室内物干し空間３の他方の長辺側には、室内出入口１２ａが設けられた間仕切壁１２をはさんで居室４が隣接している。すなわち、室内物干し空間３は、居室４とベランダ５の間に挟まれている。
【００２１】
ここで、室内物干し空間３は、予め天井または側壁の壁面等に設置された物干し装置を備える。物干し装置は、他の部材を介して間接的に、あるいは直接的に梁や柱等の躯体に連結されるものである。図２（ａ）は、物干し装置の一例としての吊り下げ金物２０を示したものであり、天井面２１ａに固定される固定部２２と、固定部２２に対して着脱可能なポール部２３と、ポール部２３の先端に設けられたリング部２４とを有する。図示例において、固定部２２は、石膏ボード等からなる天井材２１の上方に設けられた合板等からなる補強用の下地材２５に対して、ねじ等により固定されている。なお、天井材２１は、野縁２６に固定され、野縁２６は野縁受け２７、吊り金物２８を介して梁２９に対して固定されている。すなわち、固定部２２は間接的に梁２９に固定されている。
【００２２】
この吊り下げ金物２０を、間隔を空けて天井面２１ａに２本設置し、それぞれのリング部２４に物干し竿を通すことで物干し竿を保持することができる。また、吊り下げ金物２０のリング部２４にハンガー等を直接吊り下げることも可能である。
【００２３】
図２（ｂ）は、物干し装置の他の例としての手動昇降式の物干しユニット３０を示している。手動昇降式の物干しユニット３０は、上記吊り下げ金物２０の固定部２２と同様に天井面２１ａに固定される固定部３１と、固定部３１から延びる２本の吊り下げワイヤ３２を介して吊り下げられた竿部３３と、竿部３３の昇降を操作するための操作ワイヤ３４とを有する。物干しユニット３０は、竿部３３にハンガー等を吊り下げることができ、また、操作ワイヤ３４の引っ張り操作等により、竿部３３を昇降させて高さを調節することができるとともに、非使用時には竿部３３を固定部３１まで上昇させることで空間を有効に活用することができる。また、竿部３３は軸線方向に伸縮可能な構成とすることで、洗濯物の量に応じて長さを調整することができる。なお、物干しユニット３０は、スイッチやリモコン等により、自動で昇降する自動昇降式であってもよい。
【００２４】
室内物干し空間３に設けられる物干し装置は、上記の例に限定されるものではなく、予め壁面等に設置されて室内物干しを可能とする任意の構造を採用することができ、例えば、対向する一対の側壁面間にワイヤを渡す簡易的な構造でもよいし、一方側の側壁面から突出する一対の竿掛け金物に物干し竿を掛け渡した構造でもよい。なお、図１には、例えば上記吊り下げ金物２０により保持される２本物干し竿１６が、室内物干し空間３の長辺に平行に配置されている。
【００２５】
なお、ＬＤＫ２は、他の屋外出入口１１ｂ（掃出し窓）が設けられた外壁１１をはさんでベランダ５に隣接しており、また、室内出入口１３ａが設けられた間仕切壁１３をはさんで居室４に隣接している。
【００２６】
居室４には、クローゼット等の収納空間１４が設けられており、室内物干し空間３やベランダ５等の物干し装置に吊り下げられていたハンガー等をそのまま収納空間１４のパイプ部材に吊り下げて収納したり、折り畳んで、収納空間１４に設置した棚板や引き出し等に収納したりすることができる。
【００２７】
上記のような構成を有する本実施形態の建物１にあっては、室内物干し空間３に洗濯物を室内干しすることで、ＬＤＫ２から洗濯物が見え難くなる。このため、ＬＤＫ２内に洗濯物を干す場合に比べて、室内の美観性が向上するとともにＬＤＫ２の室内空間が広く感じられ、室内干しした場合でもすっきりとした空間を維持することが可能となる。室内干しの頻度の高い共働き夫婦の住宅や、賃貸用の集合住宅などＬＤＫ２の広さが限られている住宅においては、上記の効果が特に発揮され易い。
【００２８】
また、室内物干し空間３は建具を介さずにＬＤＫ２に連通しているため、相互間の出入りが容易である。また、室内物干し空間３の屋外出入口１１ａおよび、ＬＤＫ２の他方の長辺側に設けられた窓１７を開放することで、通風を確保しやすく、洗濯物を乾き易くすることができる。また、ＬＤＫ２内にいる住人と、室内物干し空間３内にいる住人とが空間的に隔離されないため互いに存在が認識し易く、また会話する際にも声が届き易い。またＬＤＫ２の他方の長辺側にテレビ端子１８が設けられていることが好ましく、これによれば、テレビ１９をＬＤＫ２の他方の長辺側に配置するとともにソファ２ｃを室内物干し空間３側（ＬＤＫ２の一方の長辺側）に配置し易くなるので、ソファ２ｃに座った使用者から室内物干し空間３内の洗濯物が見え難くなる。
【００２９】
また、室内物干し空間３に洗濯物を室内干しすることで、ＬＤＫ２の屋外出入口１１ｂ付近に室内干しする場合のように日射や通風を阻害することがないため、ＬＤＫ２の快適性を確保することができる。
【００３０】
また、室内物干し空間３に、屋外出入口１１ａを介してベランダ５が隣接していることにより、ベランダ５に干した洗濯物を室内物干し空間３に移動する際の移動距離が短く、作業が効率的となる。また、室内物干し空間３には屋外出入口１１ａの窓を介して日光が入り易く、通風も確保できるため、洗濯物が乾き易い環境で室内干しすることができる。特に、室内物干し空間３の長辺が屋外出入口１１ａに沿うようにしていることで、広い範囲で日射や通風を確保することができる。このため、室内物干し空間３の長辺に対して平行に物干し竿１６が配置されるように物干し装置を設けることが好ましい。
【００３１】
また、室内物干し空間３には、室内出入口１２ａを介して居室４が隣接しているため、室内物干し空間３またはベランダ５で干した洗濯物を居室４に運ぶ際の移動距離が短くなる。そして、乾いた洗濯物を居室４で畳んだり、居室４の収納空間１４に収納したりすることができるので、洗濯物を干してから収納するまでの作業を効率的に行うことができる。なお、居室４の床仕上げは畳であることが好ましく、これによれば、床仕上げをフローリング等とするよりも洗濯物を畳む作業がし易くなる。
【００３２】
また、室内出入口１２ａおよび室内出入口１３ａは、引き戸形式の建具であることが好ましく、これによれば、引き戸を開放した状態で維持することで、洗濯物を持った状態で通過し易くなる。
【００３３】
また、室内物干し空間３の床面積は、第１の部屋としてのＬＤＫ２よりも床面積が小さく、例えば１．５畳〜３畳の面積を有することが好ましい。これによれば、洗濯物を干すために十分な広さを確保しつつ、面積が大き過ぎないので、全体の面積が限られている集合住宅等においても採用し易い。同様の観点から、室内物干し空間３の短辺の長さは、９００ｍｍ〜２０００ｍｍの範囲であることが好ましい。また、室内物干し空間３の長辺の長さは、短辺の長さの２倍以上であることが好ましい。
【００３４】
また、室内物干し空間３は、ＬＤＫ２の角部付近に連通していることが好ましく、特に、ＬＤＫ２の長辺の端部に連通してＬ字もしくは逆向きのＬ字を構成するように配置されることが好ましい。このような構成とすることで、室内物干し空間３に干した洗濯物がＬＤＫ２から見え難くなり、ＬＤＫ２の快適性を高めることができる。
【００３５】
本実施形態では、室内物干し空間３における前記第１の部屋から最も離れた位置に、作業台１５が設けられている。このような構成とすることにより、作業台１５で洗濯物を畳んだり、さらに椅子を設けて読書や勉強をするための空間として使用したりすることができる。作業台１５は、ＬＤＫ２とは適度に離れた距離にあり、また洗濯物が干されている場合には視界も遮られるため、ある程度のプライベート性を確保することができる。
【００３６】
また、ＬＤＫ２が他の屋外出入口１１ｂを介してベランダ５に隣接していることで、ＬＤＫ２から直接ベランダ５に出入りできるため作業動線の範囲が広がり、例えば洗面室８に設けられた洗濯機からベランダ５に洗濯物を運ぶ際の効率が高くなる。また、ＬＤＫ２が室内出入口１３ａを介して居室４に隣接していることで、例えば居室４で洗濯物を畳んだり、収納空間１４に収納したりした後で直接ＬＤＫ２に移動でき、移動効率が高くなる。
【００３７】
以上、図示例に基づき説明したが、本発明は上述の実施形態に限定されるものでなく、特許請求の範囲の記載範囲内で適宜変更することができるものであり、例えば、室内物干し空間３に給排水の設備を設け、洗濯機を配置可能としてもよい。この場合、室内物干し空間３の床材は塩ビシートやタイル等の耐水性の高い床材を使用することが好ましい。このような構成とすることにより、洗濯機で洗濯したものを室内物干し空間３またはベランダ５で干す際の移動距離が短くなり、一連の洗濯作業の効率がより高くなる。また、建物１を、軽量気泡コンクリート（ＡＬＣ）の外壁等を備え、鉄骨造の軸組みを有する工業化住宅とすることも可能である。
【符号の説明】
【００３８】
１  建物
２  ＬＤＫ（第１の部屋）
２ａ  キッチンセット
２ｂ  ダイニングテーブル
２ｃ  ソファ
３  室内物干し空間
４  居室（第２の部屋）
５  ベランダ
６  玄関
７  トイレ
８  洗面室
９  浴室
１０  第２の部屋
１１  外壁
１１ａ  屋外出入口
１１ｂ  屋外出入口
１２  間仕切壁
１２ａ  室内出入口
１３  間仕切壁
１３ａ  室内出入口
１４  収納空間
１５  作業台
１６  物干し竿
１７  窓
１８  テレビ端子
１９  テレビ
２０  吊り下げ金物
２１  天井材
２１ａ  天井面
２２  固定部
２３  ポール部
２４  リング部
２５  下地材
２６  野縁
２７  野縁受け
２８  吊り金物
２９  梁
３０  物干しユニット
３１  固定部
３２  吊り下げワイヤ
３３  竿部
３４  操作ワイヤ
【図１】
2017198030.tif 000003
【図２】
2017198030.tif 000004